(57)【特許請求の範囲】
【請求項１】
平坦面に取り付けられる支持部材と、
前記支持部材が挿入される開口部が形成されたカウンター本体と、が備えられ、
前記カウンター本体の内側に、幅方向から前記支持部材を挟む係止部が備えられ、この係止部と係止する被係止部が前記支持部材に備えられた、
ことを特徴とする浴室用カウンター。
【請求項２】
前記カウンター本体は、
隣接した外面同士が連接されて形成された外面部と、
前記外面部の内側に形成されて前記開口部に通じる収容部と、が備えられ、
前記開口部が前記平坦面で塞がれる、
ことを特徴とする請求項１に記載された浴室用カウンター。
【請求項３】
前記係止部が、前記カウンター本体から前記平坦面に向けて伸び、前記カウンター本体の内側において前記カウンター本体の側面部と対面し、
前記被係止部が、前記支持部材の側面に形成された孔であり、
前記孔に前記係止部が掛けられる、
ことを特徴とする請求項１または請求項２に記載された浴室用カウンター。
【発明の詳細な説明】
【技術分野】
【０００１】
本発明は、浴室用カウンターに関するものである。
【背景技術】
【０００２】
浴室に設置される従来の浴室用カウンターとして、下記特許文献１に記載された浴室のカウンター取付構造がある。このカウンター取付構造は、浴室の壁面に支持用ブラケットが取り付けられ、この支持用ブラケットにカウンターが取り付けられるものである。カウンターは、天板部と前板部とで構成され、天板部と前板部とで支持用ブラケットが上下から挟まれてカウンターが形成される。
【先行技術文献】
【特許文献】
【０００３】
【特許文献１】特開２００７−１５１７６４号公報
【発明の概要】
【発明が解決しようとする課題】
【０００４】
しかし、上記したカウンター取付構造は、天板部と前板部とで構成されているため、支持用ブラケットに取り付ける際、天板部を取り付ける手順と、前板部を取り付ける手順とを経るため、複数の手順を経ることを要し、作業が簡便ではない。
【０００５】
本発明は上記の実情に鑑みて提案されたものである。すなわち、簡便に取り付けることができる浴室用カウンターの提供を目的とする。
【課題を解決するための手段】
【０００６】
上記目的を達成するために、本発明に係る浴室用カウンターは、平坦面に取り付けられる支持部材と、前記支持部材が挿入される開口部が形成されたカウンター本体と、が備えられた、ことを特徴とする。
【０００７】
本発明に係る浴室用カウンターは、前記カウンター本体が、隣接した外面同士が連接されて形成された外面部と、前記外面部の内側に形成されて前記開口部に通じる収容部と、が備えられ、前記開口部が前記平坦面で塞がれる、ことを特徴とする。
【０００８】
本発明に係る浴室用カウンターは、前記カウンター本体の内側に係止部が備えられ、この係止部と係止する被係止部が前記支持部材に備えられた、ことを特徴とする。
【発明の効果】
【０００９】
本発明に係る浴室用カウンターは、平坦面に取り付けられる支持部材と、この支持部材が挿入される開口部が形成されたカウンター本体とが備えられている。この構成により、開口部に支持部材を挿入させることでカウンター本体が取り付けられる。したがって、簡便に取り付けることができる。
【００１０】
本発明に係る浴室用カウンターは、カウンター本体が、隣接した外面同士が連接されて形成された外面部と、外面部の内側に形成されて開口部に通じる収容部と、を備え、開口部が平坦面で塞がれる。この構成により、カウンター本体の外面部が、単一の部材で形成されているため、複数の部材で構成されたものと比較して、簡便に取り付けることができる。また、カウンター本体は、複数の部材で構成されたものと比較して、繋ぎ目がないため、清掃のしやすさを実現することができる。
【００１１】
本発明に係る浴室用カウンターは、カウンター本体の内側に係止部が備えられ、この係止部と係止する被係止部が支持部材に備えられている。この構成により、簡便に取り付けることができる。また、開口部に支持部材が挿入される際、カウンター本体の内部において、支持部材が係止部によって案内されるため、簡便に取り付けることができる。
【図面の簡単な説明】
【００１２】
【図１】本発明の実施形態に係る浴室用カウンターの外観が示された斜視図である。
【発明を実施するための形態】
【００１３】
以下に、本発明の実施形態に係る浴室用カウンターを図面に基づいて説明する。図１は、本発明の実施形態に係る浴室用カウンター１の外観が示されている。なお、以下の説明では、支持部材１０が取り付けられている側を後方とし、その反対側を前方とし、カウンター本体２０の厚み方向の上下を上方および下方とし、カウンター本体２０の幅方向の左右を左方および右方とする。
【００１４】
図１に示されているとおり、本実施形態に係る浴室用カウンター１は、浴室の壁面（図示省略）などの平坦面に取り付けられる支持部材１０と、この支持部材１０が挿入される開口部２６が形成されたカウンター本体２０とから構成されている。
【００１５】
＜支持部材＞
支持部材１０は、一対で構成されたステンレスなどの部材である。単一の支持部材１０は、一片の薄板状の部材が所定の形状に切り出され、折り曲げられて全体がコ字形に形成され、次の各部から構成されている。すなわち、支持部材１０は、平坦な支持平面部１１と、この支持平面部１１の左右側方に配置された支持側面部１２と、支持平面部１１の後方に配置された支持固定部１４および連結固定部１５とから構成されている。なお、一対の支持部材１０は、両者同一の部材である。
【００１６】
支持平面部１１は、四角形の薄板状に形成され、この支持平面部１１の幅方向の左右両端から下方に支持側面部１２が連接され、また、後方端の中央から下方に連結固定部１５が連接されている。支持平面部１１と支持側面部１２とは直角に連接され、また、支持平面部１１と連結固定部１５とは直角に連接されている。
【００１７】
支持側面部１２は、斜辺が下方に向けられたほぼ直角三角形の薄板状に形成され、被係止部１３である四角形の孔が一部に形成されている。支持側面部１２は、上方の端が、支持平面部１１と直角に連接され、後方の端から互いに向き合う方向に支持固定部１４が連接されている。支持側面部１２と支持固定部１４とは直角に連接されている。
【００１８】
支持固定部１４は、四角形の薄板状に形成され、複数のネジ孔が形成されている。支持固定部１４は、幅方向の一端が、支持側面部１２と直角に連接されている。
【００１９】
連結固定部１５は、四角形の薄板状に形成され、上方の端が、支持平面部１１と直角に連接されている。連結固定部１５の下方の端は、四角形の薄板状に形成された連結片部１６が直角に連接されている。連結片部１６はネジ孔が形成されている。
【００２０】
なお、支持部材１０の各部の形状は、浴室の壁面等に取り付けられてカウンター本体２０が連結されるものであれば任意である。
【００２１】
＜カウンター本体＞
カウンター本体２０は、四角形の箱状に形成され、次の各部から構成されている。すなわち、カウンター本体２０は、隣接した外面同士が連接されて形成された外面部２１と、この外面部２１の後方に形成された開口部２６と、外面部２１の内側に形成されて開口部２６に通じる収容部２７とから構成されている。
【００２２】
外面部２１は、上方面である平坦なカウンター平面部２２と、このカウンター平面部２２の側方に配置されたカウンター側面部２３と、カウンター平面部２２の前方に配置されたカウンター前面部２４と、カウンター平面部２２の下方でカウンター平面部２２と対面したカウンター底面部２５とから構成されている。
【００２３】
カウンター平面部２２は、幅方向に左右に長い長方形の薄板状に形成され、このカウンター平面部２２の幅方向の左右両端から下方にカウンター側面部２３が連接され、また、前方端から下方にカウンター前面部２４が連接されている。
【００２４】
カウンター側面部２３は、前後方向に長い長方形の薄板状に形成され、上方の端がカウンター平面部２２と連接され、前方の端がカウンター前面部２４と連接されている。
【００２５】
カウンター前面部２４は、幅方向に左右に長い長方形の薄板状に形成され、上方の端が、カウンター平面部２２と連接され、幅方向の左右両端が、カウンター側面部２３と連接されている。
【００２６】
カウンター底面部２５は、四角形の薄板状に形成され、幅方向の左右の端がカウンター側面部２３と連接され、前方の端がカウンター前面部２４と連接されている。
【００２７】
カウンター底面部２５は、幅方向の長さと前後方向の長さとが、カウンター平面部２２よりも短く形成されている。したがって、カウンター側面部２３は、カウンター平面部２２とカウンター底面部２５との間で互いに向き合う方向に傾斜し、また、カウンター前面部２４は、カウンター平面部２２とカウンター底面部２５との間で後方に傾斜している。
【００２８】
開口部２６は、カウンター本体２０の後方の端に形成され、収容部２７に通じている。収容部２７は、外面部２１によって囲われた空間であり、カウンター平面部２２およびカウンター底面部２５に連接された係止面部（図示省略）および仕切面部（図示省略）が形成されている。係止面部は、カウンター側面部２３の近傍に配置されてカウンター側面部２３に対面し、一部が切り出されて係止部２８が形成されている。仕切面部は、収容部２７の中央に配置され、収容部２７を幅方向の左右に分断している。
【００２９】
なお、カウンター本体２０の各部の形状は、水切りのし易さやデザインに応じて任意である。
【００３０】
上記のとおり構成された支持部材１０およびカウンター本体２０は、以下のとおりに組み立てられ、浴室用カウンター１が形成される。
【００３１】
まず、浴室の壁面などに、支持部材１０を取り付ける。詳説すれば、支持部材１０の支持固定部１４を壁面に当て、ネジ孔にネジを通して壁面に支持固定部１４を固定する。この状態で、カウンター本体２０を支持部材１０に取り付ける。詳説すれば、カウンター本体２０の開口部２６に支持部材１０を挿入し、収容部２７に支持部材１０を収容させる。その際、支持部材１０は、仕切面部と係止面部とで案内されて位置決めされ、支持側面部１２の被係止部１３と係止面部の係止部２８とが係止される。同時に、カウンター本体２０は、開口部２６が壁面で塞がれる。最後に、カウンター本体２０（カウンター底面部２５）のネジ孔と、支持部材１０（連結片部１６）のネジ孔とにネジを通し、カウンター本体２０を支持部材１０に固定する。カウンター本体２０を支持部材１０から取り外す際は、支持部材１０にカウンター本体２０を固定していたネジを外し、カウンター本体２０を支持部材１０に対して左右にずらすことで、係止部２８を撓ませて被係止部１３から外し、カウンター本体２０を支持部材１０から抜去する。
【００３２】
なお、係止面部の係止部２８に対応させて仕切面部に係止部を形成し、各係止部と支持部材１０（支持側面部１２）の被係止部１３とを係止させてもよいが、カウンター本体２０の着脱の容易性を担保するため、上記した実施形態が好ましい。
【００３３】
次に、本実施形態の効果を説明する。
【００３４】
上記したとおり、本実施形態に係る浴室用カウンター１によれば、支持部材１０は、平坦な支持平面部１１と、この支持平面部１１の左右側方に配置された支持側面部１２と、支持平面部１１の後方に配置された支持固定部１４および連結固定部１５とから構成されている。一方、カウンター本体２０は、隣接した外面同士が連接されて形成された外面部２１と、この外面部２１の後側に形成された開口部２６と、外面部２１の内側に形成されて開口部２６に通じる収容部２７とから構成されている。浴室用カウンター１を形成するには、支持部材１０の支持固定部１４を壁面に当て、ネジ孔にネジを通して壁面に支持固定部１４を固定する。カウンター本体２０の開口部２６に支持部材１０を挿入し、収容部２７に支持部材１０を収容させる。この構成により、カウンター本体２０の外面部２１（カウンター平面部２２、カウンター側面部２３、カウンター前面部２４、カウンター底面部２５）が、単一の部材で形成されているため、複数の部材で構成されたものと比較して、簡便に取り付けることができる。また、カウンター本体２０は、複数の部材で構成されたものと比較して、繋ぎ目がないため、清掃しやすさを実現することができる。
【００３５】
本発明に係る浴室用カウンター１によれば、支持側面部１２は、被係止部１３である四角形の孔が一部に形成されている。収容部２７に形成された係止面部は、一部が切り出されて係止部２８が形成されている。この構成により、支持部材１０は、仕切面部と係止面部とで案内されて位置決めされ、支持側面部１２の被係止部１３と係止面部の係止部２８とが係止される。同時に、カウンター本体２０の開口部２６が壁面で塞がれる。したがって、簡便に取り付けることができる。また、開口部２６に支持部材１０が挿入される際、カウンター本体２０の内部において、支持部材１０が係止部２８によって案内されるため、簡便に取り付けることができる。
【００３６】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３７】
１                  浴室用カウンター
１０                支持部材
１１                支持平面部
１２                支持側面部
１３                被係止部
１４                支持固定部
１５                連結固定部
１６                連結片部
２０                カウンター本体
２１                外面部
２２                カウンター平面部
２３                カウンター側面部
２４                カウンター前面部
２５                カウンター底面部
２６                開口部
２７                収容部
２８                係止部
【図１】
0006558905.tif 000002